(57)【要約】【課題】  映像データの著作権を保護したうえで、ムーブに時間がかかるという時間的課題、視聴するには本体を操作する必要があるという空間的課題を解決した映像記録システムを提供する。【解決手段】  放送信号１６を暗号化した録画タイトル１４として記録し、デジタル伝送路１７を介し、可搬型記録装置２２にも暗号化した録画タイトル１５を記録する。再生時は、据置型記録装置２１と可搬型記録装置２２の間において、デジタル伝送路１７または屋外ネットワーク１８を介して暗号化した録画タイトル１４，１５を再生するための暗号鍵または暗号化した録画タイトル１４，１５の再生を許可する再生権利を受け渡しすることにより、据置型記録装置２１と可搬型記録装置２２のうち、１つの記録装置に制限することにより、ムーブの時間が不要になるとともに、映像タイトルの著作権を保護したうえで、外部で映像を視聴できるようになる。【選択図】  図１
2006311453.tif 000002
【特許請求の範囲】
【請求項１】
映像情報を受信し、受信した映像情報を暗号化した映像データとして記録し、前記暗号化した映像データを再生する据置型記録装置と、
前記据置型記録装置にデジタル伝送路を介して接続され、前記暗号化した映像データを記録および再生する１つまたは複数の可搬型記録装置とを備え、
前記据置型記録装置に記録した前記暗号化した映像データを、前記デジタル伝送路を介して、前記可搬型記録装置に伝送し、前記可搬型記録装置に前記暗号化した映像データを記録し、
前記据置型記録装置と前記可搬型記録装置との間で、前記暗号化した映像データを再生するための暗号鍵または前記暗号化した映像データの再生を許可する再生権利を管理し、前記デジタル伝送路を介して、前記暗号鍵または前記再生権利を受け渡して、前記暗号化した映像データの再生を、前記据置型記録装置および前記可搬型記録装置のうち、１つの記録装置に制限することを特徴とする映像記録システム。
【請求項２】
請求項１記載の映像記録システムにおいて、
前記暗号鍵または再生権利を受け渡しは、屋外ネットワークを介して行われることを特徴とする映像記録システム。
【請求項３】
請求項１記載の映像記録システムにおいて、
前記据置型記録装置に記録した前記暗号化した映像データをコード変換し、コード変換された暗号化した映像データを前記可搬型記録装置に伝送することを特徴とする映像記録システム。
【請求項４】
請求項１記載の映像記録システムにおいて、
前記可搬型記録装置は、録画予約情報を作成し、前記デジタル伝送路を介して、前記据置型記録装置に前記録画予約情報を送信し、
前記据置型記録装置は、前記録画予約情報に従い録画を行うことを特徴とする映像記録システム。
【請求項５】
請求項１記載の映像記録システムにおいて、
前記据置型記録装置と前記可搬型記録装置との間で、前記暗号化した映像データの再生情報および編集情報を管理し、前記デジタル伝送路を介して、前記再生情報および前記編集情報を交換し、前記再生情報および前記編集情報に従い、再生および編集を行うことを特徴とする映像記録システム。
【発明の詳細な説明】
【技術分野】
【０００１】
本発明は、圧縮映像データをＨＤＤなどの記録装置に記録する映像記録システムに関し、特に、デジタル伝送路で接続された複数の映像記録装置を用いる場合の映像管理技術に関するものである。
【背景技術】
【０００２】
従来、ＨＤＤ／ＤＶＤレコーダー等の映像記録装置においては、著作権情報の付加されたコピーワンジェネレーションコンテンツは、複製が不可であり、再生するには当該映像記録装置本体を操作するか、著作権保護に対応したＤＶＤにムーブする必要があった。このため、使用者は本体を操作できる環境にいる必要があるという空間的課題があった。
【０００３】
また、コピーワンジェネレーションコンテンツの記録を許されたリムーバブルメディアは、ＣＰＲＭ対応ＤＶＤまたは、ブレーレイ対応ＤＶＤしか存在せず、前者においては、ムーブすると規格の制約上ハイビジョン画質で残せないという、サイズ・容量の意味で空間的課題があり、前者および後者においては、ムーブに時間がかかるという時間的課題があった。
【０００４】
そこで、従来では映像を記録したＨＤＤレコーダーと別に再生鍵を記録したフラッシュメモリカードを有し、前記フラッシュメモリカードを取り外し、携帯端末に挿入することにより、インターネットを介して映像データを配信する映像記録システムがあった（例えば、特許文献１参照）。
【特許文献１】特開２００４−２５８７１３号公報
【発明の開示】
【発明が解決しようとする課題】
【０００５】
しかしながら、特許文献１に記載のものは、再生鍵をフラッシュメモリカードに記録するものであり、映像記録装置と携帯端末で動的に再生鍵や再生権利を受け渡しするには、フラッシュメモリカードを受け渡しする必要があった。
【０００６】
また、従来では、暗号化されたコンテンツを再生するための再生鍵や再生権利の管理を、端末間で個別に行っておらず、端末間での映像データの著作権を保護した複製などを行うことはできなかった。
【０００７】
そこで、本発明の目的は、映像データの著作権を保護したうえで、ムーブに時間がかかるという時間的課題、視聴するには本体を操作する必要があるという空間的課題を解決した映像記録システムを提供することにある。
【課題を解決するための手段】
【０００８】
本発明による映像記録システムは、映像情報を受信し、受信した映像情報を暗号化した映像データとして記録し、暗号化した映像データを再生する据置型記録装置と、据置型記録装置にデジタル伝送路を介して接続され、暗号化した映像データを記録および再生する１つまたは複数の可搬型記録装置とを備え、据置型記録装置に記録した暗号化した映像データを、デジタル伝送路を介して、可搬型記録装置に伝送し、可搬型記録装置に暗号化した映像データを記録し、据置型記録装置と可搬型記録装置との間で、暗号化した映像データを再生するための暗号鍵または暗号化した映像データの再生を許可する再生権利を管理し、デジタル伝送路を介して、暗号鍵または再生権利を受け渡して、暗号化した映像データの再生を、据置型記録装置および可搬型記録装置のうち、１つの記録装置に制限するものである。
【発明の効果】
【０００９】
本発明によれば、映像データの著作権を保護したうえで、ムーブに時間がかかるという時間的課題、視聴するには本体を操作する必要があるという空間的課題を解決した映像記録システムを提供することができる。
【００１０】
本発明によれば、記録容量を削減することにより、安価で軽量な可搬型映像記録システムを提供することができる。
【００１１】
本発明によれば、外部から録画予約を行えるとともに、どの録画予約を同時録画するかの設定が容易にでき、ユーザの使い勝手を向上した映像記録システムを提供できる。
【００１２】
本発明によれば、外部で録画タイトルを視聴、編集しても本体の操作を行うのと同等の結果を持つ映像記録システムを提供できる。
【発明を実施するための最良の形態】
【００１３】
以下、本発明の実施の形態を図面に基づいて詳細に説明する。なお、実施の形態を説明するための全図において、同一の部材には原則として同一の符号を付し、その繰り返しの説明は省略する。
【００１４】
（実施の形態１）
＜映像記録システムの概要＞
図１により、本発明の実施の形態１に係る映像記録システムの概要について説明する。図１は本発明の実施の形態１に係る映像記録システムの概要を説明するための説明図である。
【００１５】
図１において、映像記録システムは、アンテナ１１で受信した放送信号１６を受信し、その録画タイトルを録画する据置型記録装置２１とデジタル伝送路１７で接続された可搬型記録装置２２から構成される。
【００１６】
据置型記録装置２１で受信した放送信号１６を録画タイトル１４として記録すると同時に、デジタル伝送路１７を介し、可搬型記録装置２２にも録画タイトル１５を記録する。
【００１７】
また、可搬型記録装置２２への録画タイトル１５の記録は、据置型記録装置２１への録画タイトル１４の記録と同時ではなく、据置型記録装置２１への録画タイトル１４の記録後、据置型記録装置２１から可搬型記録装置２２へ録画タイトルの複製を行うことも可能である。
【００１８】
再生時は、据置型記録装置２１と可搬型記録装置２２の間において、デジタル伝送路１７またはインターネット等の屋外ネットワーク１８を介し録画タイトルを再生するための暗号鍵（再生鍵）または録画タイトルの再生を許可する再生権利を受け渡し、据置型記録装置２１および可搬型記録装置２２で、録画タイトル１４、１５を再生するための再生鍵または再生権利の状態を確認することにより、据置型記録装置２１と可搬型記録装置２２のどちらか片方のみ再生を許可する。また、デジタル伝送路１７は有線に限らず、無線でもよい。
【００１９】
また、据置型記録装置２１は、放送だけではなく、通信により配信されるコンテンツを受信し、その録画タイトルを録画する構成としてもよい。
【００２０】
＜映像記録システムの構成＞
図２により、本発明の実施の形態１に係る映像記録システムの据置型記録装置および可搬型記録装置の構成について説明する。図２は本発明の実施の形態１に係る映像記録システムの据置型記録装置および可搬型記録装置の構成を示す構成図である。
【００２１】
図２において、据置型記録装置２１は、受信部２３，制御部２４、映像／音声復号部２５、映像／音声記憶部２６、伝送部２７、録画タイトル情報管理部２８から構成され、映像／音声復号部２５に表示部２９が接続されている。
【００２２】
可搬型記憶装置２２は、伝送部２ａ、映像／音声復号部２ｂ、表示部２ｃ、制御部２ｄ、映像／音声記録部２ｅ、録画タイトル情報管理部２ｆから構成されている。
【００２３】
据置型記録装置２１は、アンテナ１１で受信した放送信号１６を受信部２３で受信し、受信部２３より出力される映像／音声データを制御部２４で暗号化した後、映像／音声データ記録部２６に録画タイトル１４として記録するとともに、伝送部２７を介し、可搬型記録装置２２に伝送する。
【００２４】
このとき、録画タイトル情報も録画タイトル情報管理部２８に記録するとともに、伝送部２７を介し、可搬型記録装置２２に伝送する。
【００２５】
可搬型記録装置２２は、伝送部２ａを介し、映像／音声データを受信し、制御部２ｄにより映像／音声データを録画タイトル１５として映像／音声データ記録部２ｅに記録し、録画タイトル情報を録画タイトル情報管理部２ｆに記録する。
【００２６】
据置型記録装置２１は映像／音声記録部２６に記録した録画タイトル１４を制御部２４で、再生鍵により暗号解除した後、映像／音声復号部２５で復号し、映像信号として出力し、表示部２９で表示する。
【００２７】
可搬型記録装置２２は、映像／音声記録部２ｅに記録した録画タイトル１５を制御部２ｄで再生鍵により暗号解除した後、映像／音声復号部２ｂで復号し、表示部２ｃで表示する。
【００２８】
据置型記録装置２１、可搬型記録装置２２ともに再生時は、各々の録画タイトル情報管理部２８あるいは録画タイトル情報管理部２ｆを参照し、再生鍵または再生権利の状態を確認し、同時再生端末が存在しない場合に限り、再生を開始する。
【００２９】
＜録画タイトル情報のデータ項目の一例＞
次に、図３により、本発明の実施の形態１に係る映像記録システムの録画タイトル情報管理部に記録する録画タイトル情報のデータ項目の一例について説明する。図３は、本発明の実施の形態１に係る映像記録システムの録画タイトル情報のデータ項目一例を示す図である。
【００３０】
図３に示すように、録画タイトル情報は、据置型記録装置２１および可搬型記録装置２２に格納する録画タイトルごとにタイトル情報、記録属性が記録されている。
【００３１】
録画タイトル情報の各項目の内容は、例えば、以下に示すものである。
【００３２】
「管理番号」は、録画タイトル情報を管理するための番号を示す。
【００３３】
「開始時刻」は、当該録画タイトルの録画を開始した日時を示す。
【００３４】
「録画時間」は、当該録画タイトルの録画時間を示す。
【００３５】
「番組名」は、当該録画タイトルの番組名を示す。
【００３６】
「同時録画した記録装置」は、当該録画タイトルを同時に録画した全ての記録装置名を示す。据置型記録装置２１は、同時録画を行うに際に映像データ伝送先である可搬型記録装置２２の固有な識別子（機器固有ＩＤ）を取得し、どの記録装置と同時に録画したか判別できるようにするとともに、再生時において、同時に録画したことが管理されている記録装置にのみ鍵を渡す。
【００３７】
「再生状態」は、再生鍵または再生権利を保有し、当該録画タイトルを現在再生している記録装置が存在するか否かを示す。
【００３８】
この再生状態を確認することにより、据置型記録装置２１および可搬型記録装置２２において、どの記録装置に再生鍵または再生権利が与えられているかを確認することが可能である。
【００３９】
＜録画タイトルの複製＞
次に、図４〜図５により、本発明の実施の形態１に係る映像記録システムの録画タイトルの複製について説明する。図４は、本発明の実施の形態１に係る映像記録システムの録画タイトルの複製を許可する機器の限定方法を説明するための説明図、図５は本発明の実施の形態１に係る映像記録システムの録画タイトルの複製を説明するための説明図である。
【００４０】
据置型記録装置２１および可搬型記録装置２２内には、図４に示すように、使用者が改ざん不可の領域に、それぞれの機器に固有な識別子（機器固有ＩＤ）が記憶されており、例えば、据置型記録装置２１には「１０００１」、可搬型記録装置２２には「００００１」、「００００２」、「００００３」の固有な識別子が記録されている。
【００４１】
据置型記録装置２１では、可搬型記録装置２２に記録されている固有の識別子により、録画タイトルの複製の許可する機器を限定することができるようになっている。また、例えば、デジタル伝送路１７に接続されたルータ５０を介して屋外ネットワーク１８側に接続された可搬型記録装置２２に対しては、録画タイトルの伝送時にＩＰパケットのＴＴＬ値（ＲＦＣ７９１）を制限することにより、家庭外の可搬型記録装置２２に録画タイトルが伝送されないようにしている。これは、ＩＰパケットのＴＴＬ値を“１”に設定することにより、ＴＴＬ値はルータ５０を超えると１減算され０になるとＩＰパケットが破棄されるため、ルータ５０を超えて録画タイトルが伝送されないようになる。
【００４２】
これにより、据置型記録装置２１から可搬型記録装置２２への録画タイトルの複製は家庭内に限定することが可能である。家庭内に複数ネットワークがある場合もあるので、ＴＴＬの値は“１”に限定するものではない。
【００４３】
また、録画タイトルの映像データは、図５に示すように、まず、アンテナ１１から受信した暗号化された放送信号１６を復号し、未暗号化の状態の映像データ（録画タイトルＡ）６０を生成する。
【００４４】
この放送信号１６の復号は、例えば、放送のＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）方式や、通信のＵＤＡＣ−ＭＢ（Ｕｎｉｖｅｒｓａｌ  Ｄｉｓｔｒｉｂｕｔｉｏｎ  ｗｉｔｈ  Ａｃｃｅｓｓ  Ｃｏｎｔｒｏｌ−Ｍｅｄｉａ  Ｂａｓｅ）方式などで使用されている復号方法により行う。
【００４５】
また、未暗号化の状態の映像データ６０は、据置型記録装置２１内において、録画タイトルＡの暗号鍵を使用して、暗号化済の状態の映像データ（録画タイトルＡ）６１を生成し、未暗号化の状態の映像データ６０は削除される。
【００４６】
この暗号化済の状態の映像データ６１を、可搬型記録装置２２にデジタル伝送路１７を介して伝送し、各可搬型記録装置２２に暗号化済の状態の映像データ６１を複製する。
【００４７】
各可搬型記録装置２２に複製された暗号化済の状態の映像データ６１は、暗号化済の状態の映像データ６１を復号するための鍵がないと再生することができないため、この状態では可搬型記録装置２２では、映像データ６１を再生することはできない。
【００４８】
＜タイトル複製時の伝送＞
次に、図６および図７により、本発明の実施の形態１に係る映像記録システムのタイトル複製時の伝送について説明する。図６および図７は、本発明の実施の形態１に係る映像記録システムのタイトル複製時の伝送を説明するための説明図であり、図６は、タイトルの伝送をＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）上に構築する場合、図７はタイトルの伝送を独自に構築する場合を示している。
【００４９】
まず、タイトルの伝送をＤＴＣＰ上に構築する場合では、図６に示すように、据置型記録装置２１に録画タイトルを提供する放送局などのコンテンツプロバイダ７０からは、例えばＡＲＩＢ方式により暗号化タイトル７１および暗号化タイトル７１の暗号鍵７２が伝送され、据置型記録装置２１内において、暗号化タイトル７１の暗号鍵７２により暗号化タイトル７１を未暗号化の平文タイトル７３に復号されて、記録するタイトルの暗号鍵７４により暗号化され内部暗号化タイトル７５が生成される。
【００５０】
この内部暗号化タイトル７５を、ＤＴＣＰにより伝送するために、再度、伝送用の暗号鍵７６により暗号化し、再暗号化タイトル７７をＤＴＣＰ伝送路７８により伝送され、伝送用の暗号鍵７６は、伝送路鍵７９により暗号化され伝送される。
【００５１】
また、記録するタイトルの暗号鍵７４の伝送は、公開鍵８０により暗号化され、伝送路８１に伝送される。
【００５２】
そして、可搬型記録装置２２では、ＤＴＣＰ伝送路７８から伝送した再暗号化タイトル７７を伝送用の暗号鍵７６で復号し、据置型記録装置２１での内部暗号化タイトル７５として記録する。
【００５３】
そして、据置型記録装置２１での内部暗号化タイトル７５は、再生時に、据置型記録装置２１から伝送されたタイトルの暗号鍵７４により復号し、未暗号化の平文タイトル７３を生成する。
【００５４】
このように、コンテンツの伝送をＤＴＣＰ上に構築することにより、ユーザの使い勝手としては、家庭内のストリーミングや録画タイトルのムーブは、現状のＤＴＣＰと同じ方法で行うことができ、録画タイトルの複製についても、暗号化された録画タイトルの伝送自体は、同じ仕組みを用いて行うことが可能である。そして、タイトルの暗号鍵の伝送を公開鍵方式で行うことにより、録画タイトルの伝送とは異なる管理により暗号鍵の伝送を行うことが可能である。
【００５５】
また、タイトルの伝送を独自に構築する場合では、図７に示すように、暗号化され内部暗号化タイトル７５が生成されるまでは、図６に示すＤＴＣＰ上に構築する場合と同様であり、内部暗号化タイトル７５が生成された後、内部暗号化タイトル７５は、そのまま伝送路８１に伝送される。
【００５６】
また、記録するタイトルの暗号鍵７４の伝送は、公開鍵８０により暗号化され、伝送路８１に伝送される。
【００５７】
そして、可搬型記録装置２２では、伝送路８１から伝送した据置型記録装置２１での内部暗号化タイトル７５を記録する。
【００５８】
そして、据置型記録装置２１での内部暗号化タイトル７５は、再生時に、据置型記録装置２１から伝送されたタイトルの暗号鍵７４により復号し、未暗号化の平文タイトル７３を生成する。
【００５９】
このように、コンテンツの伝送をを独自に構築することにより、録画タイトルの複製を行う場合には、据置型記録装置２１での内部暗号化タイトル７５を伝送路８１に伝送し、再暗号化の処理などが必要なくなる。そして、タイトルの暗号鍵の伝送を公開鍵方式で行うことにより、録画タイトルの伝送とは異なる管理により暗号鍵の伝送を行うことが可能である。
【００６０】
＜暗号鍵の管理＞
次に、図８により本発明の実施の形態１に係る映像記録システムの鍵の管理について説明する。図８は、本発明の実施の形態１に係る映像記録システムの鍵の管理について説明するための説明図である。
【００６１】
図８に示すように、据置型記録装置２１では、例えば録画タイトル管理テーブル９０を格納し、暗号化済の状態の映像データ６１を再生するための暗号鍵の管理を行っている。
【００６２】
例えば、図８に示す録画タイトル管理テーブル９０の例では、録画番組名のタイトルＡの映像データは、複写先装置として、可搬型記録装置２２の固有な識別子（機器固有ＩＤ）が、「００００１」、「００００２」が管理され、タイトルＡを再生するための暗号鍵の貸出状態は、まだ可搬型記録装置２２に貸し出されていない状態として管理されている。また、録画番組名のタイトルＢの映像データは、複写先装置として、可搬型記録装置２２の固有な識別子（機器固有ＩＤ）が、「００００２」、「００００３」が管理され、タイトルＢを再生するための暗号鍵の貸出状態は、固有な識別子（機器固有ＩＤ）が「００００２」の可搬型記録装置２２に貸し出されている状態として管理されている。
【００６３】
この図８に示す状態は、タイトルＡは、据置型記録装置２１で再生することができ、タイトルＢは、固有な識別子（機器固有ＩＤ）が「００００２」の可搬型記録装置２２で再生することができる状態である。
【００６４】
そして、例えば、タイトルＡの暗号化された映像データ６１が複製された、固有な識別子（機器固有ＩＤ）が「００００１」の可搬型記録装置２２から、タイトルＡの暗号鍵（再生鍵）の貸し出し依頼があると（Ｓ１）、据置型記録装置２１では、録画タイトル管理テーブル９０により、鍵依頼タイトルと複製先装置の照合および鍵貸し出し状態の照合を行う。
【００６５】
照合の結果、鍵の貸し出しが可能な状態であれば、可搬型記録装置２２に対して、鍵貸し出し許可を通知し（Ｓ２）、可搬型記録装置２２は、保有する自身の公開鍵を据置型記録装置２１に渡し（Ｓ３）、据置型記録装置２１では、タイトルＡの暗号鍵を可搬型記録装置２２から渡された公開鍵で暗号化し、暗号化されたタイトルＡの暗号鍵（タイトル鍵）を可搬型記録装置２２に貸し出す（Ｓ４）。
【００６６】
この際、タイトルＡの暗号鍵（タイトル鍵）を貸し出したら、据置型記録装置２１では、貸し出したタイトルＡの暗号鍵（タイトル鍵）を消去し、録画タイトル管理テーブル９０のタイトルＡの鍵貸出状態の情報を「００００１」として、タイトルＡの暗号鍵を、固有な識別子（機器固有ＩＤ）が「００００１」の可搬型記録装置２２に貸し出したことを管理する。
【００６７】
そして、可搬型記録装置２２では、据置型記録装置２１から貸し出された暗号化されたタイトルＡの暗号鍵（タイトル鍵）を、保有する自身の秘密鍵（ＩＤ：００００１）で復号し、タイトルＡの暗号鍵を取り出す。
【００６８】
可搬型記録装置２２では、タイトルＡの暗号化された映像データ６１を再生する際、復号したタイトルＡの暗号鍵を用いて、復号し再生する。
【００６９】
また、可搬型記録装置２２から据置型記録装置２１に鍵を返却する場合は、図８に示す状態とは逆に、返却するタイトルＡの暗号鍵（タイトル鍵）を据置型記録装置２１の公開鍵で暗号化して返却する。タイトルＡの暗号鍵（タイトル鍵）を返却した可搬型記録装置２２では、返却したタイトルＡの暗号鍵（タイトル鍵）を消去する。
【００７０】
そして、据置型記録装置２１では、可搬型記録装置２２からタイトルＡの暗号鍵（タイトル鍵）が返却されると、録画タイトル管理テーブル９０のタイトルＡの鍵貸出状態の情報を貸し出されていない状態とする。
【００７１】
このように、暗号化済の状態の映像データ６１を再生するための暗号鍵の据置型記録装置２１と可搬型記録装置２２との間での管理を行うことにより、据置型記録装置２１で受信された暗号化済の状態の映像データ６１と可搬型記録装置２２に複製された暗号化済の状態の映像データ６１は、暗号化済の状態の映像データ６１を再生するための暗号鍵を持つ据置型記録装置２１および可搬型記録装置２２のみで再生することができ、映像データの著作権を保護したうえで、映像データの複製を行うことが可能である。
【００７２】
＜映像記録システムの動作＞
次に、図９〜図１３により、本発明の実施の形態１に係る映像記録システムの動作について説明する。図９および図１０は本発明の実施の形態１に係る映像記録システムの動作を示すシーケンス図、図１１〜図１３は本発明の実施の形態１に係る映像記録システムの動作時の鍵の状態を説明するための説明図であり、図１１〜図１３において、（ａ）は据置型記録装置の状態を示し、（ｂ）は可搬型記録装置−１の状態を示し、（ｃ）は可搬型記録装置−２の状態を示している。
【００７３】
据置型記録装置２１と可搬型記録装置２２で取り扱う録画タイトルが同一であり、再生する際に再生するための暗号鍵を取得する場合では、図９に示すように、まず、据置型記録装置２１において、録画開始されると（Ｓ４３）、同時に可搬型記録装置２２に対してもデジタル伝送路を介し、録画開始が通知され（Ｓ４４）、据置型記録装置２１と可搬型記録装置２２の双方に同一の映像データの記録を開始する。
【００７４】
そして、据置型記録装置２１において、録画終了されると（Ｓ４５）、同時に可搬型記録装置２２に対してもデジタル伝送路を介し、録画終了が通知され（Ｓ４６）、据置型記録装置２１と可搬型記録装置２２の双方への同一の映像データの記録が終了する。
【００７５】
また、録画した映像データの内容を示す録画タイトル情報も据置型記録装置２１と可搬型記録装置２２に記録する。
【００７６】
そして、可搬型記録装置２２において、再生開始を指示すると（Ｓ４７）、デジタル伝送路を介し据置型記録装置２１に対し、再生確認通知が通知される（Ｓ４８）。
【００７７】
そして、据置型記録装置２１は、録画タイトル情報に基づき、現在再生中の記録装置が無い場合に、デジタル伝送路を介し可搬型記録装置２２に対し、再生可能通知（再生のための暗号鍵または再生権利の貸出）が行われる（Ｓ４９）。
【００７８】
そして、可搬型記録装置２２において、再生終了を指示すると（Ｓ５０）、デジタル伝送路を介し据置型記録装置２１に対し、再生終了通知（再生のための暗号鍵または再生権利の返却）が行われる（Ｓ５１）。
【００７９】
そして、据置型記録装置２１において、再生開始を指示すると（Ｓ５２）、録画タイトル情報に基づき、現在再生中の記録装置が無い場合に、再生を開始する。
【００８０】
また、据置型記録装置２１の再生中に、可搬型記録装置２２において、再生開始を指示すると（Ｓ５３）、デジタル伝送路を介し据置型記録装置２１に対し、再生確認通知が通知される（Ｓ５４）。
【００８１】
このとき、据置型記録装置２１は、録画タイトル情報に基づき、可搬型記録装置２２から再生確認通知のあった当該録画タイトルが再生中であることを確認し、デジタル伝送路を介し可搬型記録装置２２に対し、再生不可通知を行う（Ｓ５５）。
【００８２】
そして、据置型記録装置２１において、再生終了を指示すると（Ｓ５６）、再生を終了し、この後に、据置型記録装置２１において、再生開始が指示されれば、Ｓ４７〜Ｓ５１の処理が行われ、据置型記録装置２１において、録画タイトルの再生が行われる。
【００８３】
このように、再生のための暗号鍵（または再生権利）の所在を唯一の記録装置のみに限定することにより、再生可能な端末を唯一に限定することが可能である。
【００８４】
また、可搬型記録装置２２が２台の場合で、図１１に示すように、録画タイトルＡ〜Ｄが据置型記録装置２１に記録され、可搬型記録装置−１（２２）には、録画タイトルＡ〜Ｃが記録され、可搬型記録装置−２（２２）には、録画タイトルＡ，Ｂ，Ｄが記録され、初期状態では、録画タイトルＡ〜Ｄを再生するための暗号鍵が据置型記録装置２１にある状態で、可搬型記録装置２２で、再生のための暗号鍵を予め取得する場合としては、図１０に示すように、まず、可搬型記録装置−１（２２）が、録画タイトルＡを再生するために、録画タイトルＡの鍵取得を指示すると（Ｓ６０）、可搬型記録装置−１（２２）から据置型記録装置２１へ鍵取得依頼を通知する（Ｓ６１）。
【００８５】
そして、据置型記録装置２１は、録画タイトルＡの鍵の状態を確認し、録画タイトルＡの鍵の譲渡が可能であるので、可搬型記録装置−１（２２）に対して、鍵譲渡通知が行われる（Ｓ６２）。
【００８６】
Ｓ６２による鍵譲渡により、可搬型記録装置−１（２２）において、録画タイトルＡが再生可能な状態となる。
【００８７】
そして、可搬型記録装置−２（２２）が、録画タイトルＢを再生するために、録画タイトルＢの鍵取得を指示すると（Ｓ６３）、可搬型記録装置−２（２２）から据置型記録装置２１へ鍵取得依頼を通知する（Ｓ６４）。
【００８８】
そして、据置型記録装置２１は、録画タイトルＢの鍵の状態を確認し、録画タイトルＢの鍵の譲渡が可能であるので、可搬型記録装置−２（２２）に対して、鍵譲渡通知が行われる（Ｓ６５）。
【００８９】
Ｓ６５による鍵譲渡により、可搬型記録装置−２（２２）において、録画タイトルＢが再生可能な状態となる。
【００９０】
この状態は、図１２に示すように、据置型記録装置２１は録画タイトルＣおよび録画タイトルＤの鍵を持ち、可搬型記録装置−１（２２）は、録画タイトルＡの鍵を持ち、可搬型記録装置−２（２２）は、録画タイトルＢの鍵を持つ状態である。
【００９１】
そして、可搬型記録装置−１（２２）では、録画タイトルＡの再生を行い（Ｓ６６）、録画タイトルＡの再生を終了する（Ｓ６７）。
【００９２】
また、可搬型記録装置−２（２２）では、ネットワークから切断し、据置型記録装置２１との通信ができない状態となる（Ｓ６８）。そして、この状態で、録画タイトルＢの再生を行い（Ｓ６９）、録画タイトルＢの再生を終了する（Ｓ７０）。
【００９３】
このとき、可搬型記録装置−１（２２）が、録画タイトルＢを再生するために、録画タイトルＢの鍵取得を指示すると（Ｓ７１）、可搬型記録装置−１（２２）から据置型記録装置２１へ鍵取得依頼を通知する（Ｓ７２）。
【００９４】
そして、据置型記録装置２１では、録画タイトルＢの鍵はなく、録画タイトルＢの鍵は可搬型記録装置−２（２２）が持っているので、可搬型記録装置−２（２２）に対して鍵取得依頼を行う（Ｓ７３）。
【００９５】
しかし、可搬型記録装置−２（２２）は、ネットワークを切断した状態であるので、接続不可となり、可搬型記録装置−１（２２）に対して、鍵譲渡不可通知を行う（Ｓ７４）。
【００９６】
そして、可搬型記録装置−２（２２）では、ネットワークへ接続し（Ｓ７５）、その後、再度、録画タイトルＢを再生するために、録画タイトルＢの鍵取得を指示すると（Ｓ７６）、可搬型記録装置−１（２２）から据置型記録装置２１へ鍵取得依頼を通知する（Ｓ７７）。
【００９７】
そして、据置型記録装置２１では、録画タイトルＢの鍵はなく、録画タイトルＢの鍵は可搬型記録装置−２（２２）が持っているので、可搬型記録装置−２（２２）に対して鍵取得依頼を行う（Ｓ７８）。
【００９８】
そして、可搬型記録装置−２（２２）では、Ｓ７０で録画タイトルＢの再生が終了しているので、録画タイトルＢの鍵の譲渡が可能であるので、据置型記録装置２１に対して、鍵譲渡通知が行われ（Ｓ７９）、据置型記録装置２１から可搬型記録装置−１（２２）に対して、録画タイトルＢの鍵の譲渡通知が行われる（Ｓ８０）。
【００９９】
Ｓ８０による鍵譲渡により、可搬型記録装置−１（２２）において、録画タイトルＢが再生可能な状態となる。
【０１００】
この状態は、図１３に示すように、据置型記録装置２１は録画タイトルＣおよび録画タイトルＤの鍵を持ち、可搬型記録装置−１（２２）は、録画タイトルＡおよび録画タイトルＢの鍵を持ち、可搬型記録装置−２（２２）は、全ての録画タイトルの鍵を持っていない状態である。
【０１０１】
なお、図１０に示す動作例においても、録画タイトルを再生する暗号鍵の譲渡ではなく、再生権利の譲渡とすることも可能である。
【０１０２】
このように、再生のための暗号鍵（または再生権利）の所在を唯一の記録装置のみに限定することにより、再生可能な端末を唯一に限定することが可能であり、また、可搬型記録装置２２は、ネットワークから切断された状態であっても、録画タイトルの再生を行うことが可能となる。
【０１０３】
なお、図９に示した例では、可搬型記録装置２２が１つの場合、図１０に示した例では、可搬型記録装置２２が２つの場合を説明したが、複数の場合でも同様の方法で実現可能である。
【０１０４】
このように本実施の形態では、据置型記録装置２１に映像データを録画するにあたり、デジタル伝送路１７を介し、可搬型記録装置２２にも録画することにより、ムーブに時間がかかるという時間的課題を解決し、また、据置型映像記録装置２１と可搬型映像記録装置２２間で、暗号化した映像データを再生するための暗号鍵または再生権利を受け渡しすることにより、映像データを再生を同時に唯一の映像記録装置に制限することが可能となり、ユーザの使い勝手を向上させることができる。
【０１０５】
（実施の形態２）
実施の形態２は、実施の形態１において、据置型記録装置２１から可搬型記録装置２２に伝送する映像データを据置型記録装置２１に記録する形式と異なる形式にするようにしたものである。
【０１０６】
＜映像記録システムの構成＞
図１４により、本発明の実施の形態２に係る映像記録システムの据置型記録装置および可搬型記録装置の構成について説明する。図１４は本発明の実施の形態２に係る映像記録システムの据置型記録装置および可搬型記録装置の構成を示す構成図である。
【０１０７】
図１４において、受信部２３と制御部２４の間に、コード変換を行うコード変換部２ｇが接続されている以外の構成は実施の形態１と同様の構成である。
【０１０８】
＜映像記録システムの動作＞
次に、図１４および図１５により本発明の実施の形態２に係る映像記録システムの動作について説明する。図１５は本発明の実施の形態２に係る映像記録システムの録画タイトルの複製時のコード変換を説明するための説明図である。
【０１０９】
実施の形態１においは、据置型記録装置２１と可搬型記録装置２２は、同一の映像データを記録していたが、本実施の形態においては、据置型記録装置２１は、受信部２３より出力される映像／音声データを第一の経路２ｈを介し、制御部２４で暗号化した後、映像／音声データ記録部２６に記録するとともに、映像／音声データを第二の経路２ｉを介し、コード変換部２ｇでコード変換した後、制御部２４で暗号化し伝送部２７を介し、可搬型記録装置２２に伝送する。
【０１１０】
例えば、図１５に示すように、据置型記録装置２１に記録する映像データ（例えば、ＭＰＥＧ２形式のデータ）を、可搬型記録装置２２に適した映像フォーマット（例えば、ＭＰＥＧ４形式のデータ）にコード変換することが可能である。
【０１１１】
なお、コード変換を内部記録と同時に行わない場合は、図１５の点線で示すように、暗号化済みの映像データ（例えば、ＭＰＥＧ２形式のデータ）をコード変換部２ｇでコード変換して、可搬型記録装置２２に適した映像フォーマット（例えば、ＭＰＥＧ４形式のデータ）にコード変換することも可能である。
【０１１２】
また、据置型記録装置２１に記録する映像／音声データと可搬型記録装置２２に記録する映像／音声データの暗号鍵を同一にすることにより、他の構成、および手順は実施の形態１と同様の方法で録画タイトルの複製を行うことが可能である。
【０１１３】
本実施の形態によれば、例えば据置型記録装置２１にはデジタル放送をハイビジョン画質のままＭＰＥＧ２トランスポートストリームで記録し、可搬型記録装置２２には情報量を圧縮したＭＰＥＧ４ストリームで記録することが可能であり、実施の形態１に比べ、可搬型記録装置２２に搭載する映像／音声記録部２ｅの容量を小さくすることが可能になり、可搬型記録装置を安価で軽量にすることが可能となる。
【０１１４】
（実施の形態３）
実施の形態３は、実施の形態１において、番組情報を管理し、可搬型記録装置２２において、据置型記録装置２１の録画予約を行うようにしたものである。
【０１１５】
＜映像記録システムの構成＞
図１６により、本発明の実施の形態３に係る映像記録システムの据置型記録装置および可搬型記録装置の構成について説明する。図１６は本発明の実施の形態３に係る映像記録システムの据置型記録装置および可搬型記録装置の構成を示す構成図である。
【０１１６】
図１６において、据置型記録装置２１の制御部２４に番組管理部２ｊが接続され、可搬型記録装置２２の制御部に番組情報管理部２ｋが接続されている以外の構成は実施の形態１と同様の構成である。
【０１１７】
＜映像記録システムの動作＞
次に、図１６〜図１９により本発明の実施の形態３に係る映像記録システムの動作について説明する。図１７〜図１９は本発明の実施の形態３に係る映像記録システムで使用する情報の一例を示す図である。
【０１１８】
据置型記録装置２１は、受信部２３より出力される番組情報を制御部２４により番組情報管理部２ｊに記録するとともに、前記番組情報を伝送部２７を介し、可搬型記録装置２２に伝送する。
【０１１９】
可搬型記録装置２２は、伝送部２ａを介し、番組情報を受信し、制御部２ｄにより番組情報を番組情報管理部２ｋに記録する。または、可搬型記録装置２２は、必要に応じ伝送部を介し、据置型記録装置２１に対し、番組情報送信の依頼を行ってもよい。
【０１２０】
ここで、番組情報管理部２ｊ、２ｋに記録する番組情報のデータ項目の一例としては、図１７に示すように、放送される番組ごとに時刻情報、番組名が記録されている。
【０１２１】
番組情報の各項目の内容は、例えば、以下に示すものである。
【０１２２】
「管理番号」は、番組情報を管理するための番号を示す。
【０１２３】
「開始時刻」は、当該番組の放送を開始する日時を示す。
【０１２４】
「番組時間」は、当該番組の放送時間を示す。
【０１２５】
「番組名」は、当該録画タイトルの番組名を示す。
【０１２６】
図１７に示すような番組情報を使用する前提で、予約時の動作について図１６を用い説明する。
【０１２７】
可搬型記録装置２２は番組情報に従い、表示部２ｃにＥＰＧを表示し、ユーザは、所望の番組の録画予約を行うと、制御部２ｄは当該番組の予約情報を伝送部２ａを介し、据置型記録装置２１に送信する。
【０１２８】
据置型記録装置２１は、伝送部２７を介し、予約情報を受信し、制御部により番組情報管理部２ｊに記録する。据置型記録装置２１本体で番組情報を用いた録画予約も可能である。
【０１２９】
ここで、番組情報管理部に記録する予約情報のデータ項目の一例としては、図１８に示すように、録画予約ごとに時刻情報、録画属性が記録されている。
【０１３０】
予約情報の各項目の内容は、例えば、以下に示すものである。
【０１３１】
「管理番号」は、予約情報を管理するための番号を示す。
【０１３２】
「開始時刻」は、当該録画予約を開始する日時を示す。
【０１３３】
「録画時間」は、当該録画予約の録画時間を示す。
【０１３４】
「同時録画の有無」は、当該録画タイトルを同時録画する可搬型記録装置の有無を示す。本項目は、可搬型記録装置２２からの録画予約を自動的に同時録画してもよいし、予約時に選択することも可能である。
【０１３５】
「同時録画属性」は、同時録画する可搬型記録装置の録画フォーマットを示す。本項目は、可搬型記録装置２２からの録画予約時に自動的に設定してもよいし、予約時に選択することも可能である。
【０１３６】
据置型記録装置２１は、番組情報管理部２ｊに記録された録画予約開始時間になると、当該録画予約情報に基づき、同時録画が指定されている場合は、可搬型記録装置２２と同時に録画を開始する。以降の動作は実施例１と同様である。
【０１３７】
ここでは、同時録画する可搬型記録装置２２が１つの場合を説明したが、録画予約情報として、図１９に示すように、複数の可搬型記録装置２２の情報を持てば、どの可搬型記録装置２２と同時に録画するか判別可能である。
【０１３８】
本実施の形態によれば、据置型記録装置２１本体の前にいなくても、可搬型記録装置２２とインターネットなどを用い、外部から録画予約を行えるとともに、どの録画予約を同時録画するかの設定を容易に行うことが可能である。
【０１３９】
（実施の形態４）
実施の形態４は、実施の形態１において、可搬型記録装置２２において、据置型記録装置２１の録画タイトルの編集を行うようにしたものである。
【０１４０】
＜映像記録システムの構成＞
図２０により、本発明の実施の形態４に係る映像記録システムの据置型記録装置および可搬型記録装置の構成について説明する。図２０は本発明の実施の形態４に係る映像記録システムの据置型記録装置および可搬型記録装置の構成を示す構成図である。
【０１４１】
図２０において、据置型記録装置２１の制御部２４に録画タイトルの編集された録画タイトルを記録する取り外し可能映像／音声記録メディア２ｍが接続されている以外の構成は実施の形態１と同様の構成である。
【０１４２】
＜映像記録システムの動作＞
次に、図２０〜図２２により本発明の実施の形態４に係る映像記録システムの動作について説明する。図２１および図２２は本発明の実施の形態４に係る映像記録システムで使用する情報の一例を示す図である。
【０１４３】
可搬型記録装置２２において、録画タイトルを再生し、停止すると、制御部２ｄは録画タイトル情報管理部２ｆで停止箇所を記憶するとともに、当該番組の録画タイトル情報を伝送部２ａを介し、据置型記録装置２１に送信する。
【０１４４】
据置型記録装置２１は、伝送部２７を介し、録画タイトル情報を受信し、制御部２４により録画タイトル情報管理部２８に記録する。据置型記録装置２１本体で番組再生、停止した場合も、この逆の経路で可搬型記録装置２２の録画タイトル情報管理部２ｆに記録する。録画タイトル情報の送受信は、即時でなくてもよい。
【０１４５】
また、可搬型記録装置２２において、録画タイトルを編集すると、録画タイトル情報管理部２ｆで編集情報を記憶するとともに、当該番組の録画タイトル情報を伝送部２ａを介し、据置型記録装置２１に送信する。
【０１４６】
据置型記録装置２１は、伝送部２７を介し、録画タイトル情報を受信し、制御部２４により録画タイトル情報管理部２８に記録する。
【０１４７】
ここで、本実施の形態における録画タイトル情報のデータ項目の一例としては、図２１に示すように、図３に示す実施の形態１のデータ項目と同様に、据置型記録装置２１および可搬型記録装置２２に格納する録画タイトルごとにタイトル情報、記録属性が記録されている。
【０１４８】
また、録画タイトル情報の各項目の内容は、例えば、図３に示す実施の形態１の項目の内容に加えて、以下に示すものである。
【０１４９】
「既視聴時間」は、据置型記録装置、可搬型記録装置各々の再生停止箇所を示す。
【０１５０】
「編集情報ファイル」は、チャプタポイントや、再生しないチャプタ等の録画タイトルの編集情報を記録したファイル名を示す。
【０１５１】
また、編集情報ファイル９５のデータ項目の一例としては、図２２に示すように、各チャプタ番号ごとに編集の内容が記録されている。
【０１５２】
また、編集情報ファイルの各項目の内容は、以下に示すものである。
【０１５３】
「チャプタ番号」は、チャプタの続き番号を示す。
【０１５４】
「開始」、「終了」は、各チャプタの開始時間、終了時間を示す。
【０１５５】
「再生」は、再生するか、再生せずにスキップするかを示す。
【０１５６】
＜編集したタイトルの扱い＞
次に、図２３により本発明の実施の形態４に係る映像記録システムの編集タイトルの扱いについて説明する。図２３は本発明の実施の形態４に係る映像記録システムの編集タイトルの扱いを説明するための説明図である。
【０１５７】
本実施の形態では、可搬型記録装置２２での編集した結果を据置型記録装置２１に反映することができるが、図２３に示すように、可搬型記録装置−１（２２）において、編集情報ファイル９５が作成され、据置型記録装置２１において、その編集情報ファイル９５により、編集が行われ、録画タイトル１４の一部がＤＶＤなどの録画タイトルを取外し可能映像／音声記録メディア２ｍにムーブされ、録画タイトル１４から削除された場合では、以下の動作により、可搬型記録装置２２の録画タイトル１５の一部が削除される。
【０１５８】
まず、据置型記録装置２１の録画タイトル１４が編集され、ムーブなどにより、録画タイトル１４の一部が削除されると、ムーブしなかった残りの部分が、据置型記録装置２１に残る。
【０１５９】
この状態で、例えば、編集を行っていない可搬型記録装置−２（２２）から据置型記録装置２１に対して、録画タイトル１５を再生するために、鍵取得依頼があると（Ｓ１００）、据置型記録装置２１から編集により削除された部分の削除命令が行われる（Ｓ１０１）。
【０１６０】
そして、可搬型記録装置−２（２２）では、削除命令に従って、録画タイトル１５の削除を行い、据置型記録装置２１に対して、削除終了通知を行う（Ｓ１０２）。
【０１６１】
そして、据置型記録装置２１では、可搬型記録装置−２（２２）からの削除通知を受け取った後、可搬型記録装置−２（２２）に対して、鍵譲渡通知を行う（Ｓ１３０）。
【０１６２】
これにより、可搬型記録装置−２（２２）では、削除命令により一部が削除された録画タイトル１５を作成することができるようになる。
【０１６３】
これにより、据置型記録装置２１上で、取外し可能映像／音声記録メディア２ｍにムーブされ、一部が削除された録画タイトル１４についても、映像データの著作権を保護したうえで、可搬型記録装置２２により再生することが可能である。
【０１６４】
また、本実施の形態では、図２１に示した既視聴時間に従い、例えば可搬型記録装置２２で視聴した録画タイトル１５の続きを据置型記録装置２１で視聴する、あるいはその逆を行うことが可能になり、ユーザは同一の録画タイトルに対し、再生環境を意識する必要が無くなり使い勝手が増す。
【０１６５】
また、図２２に示した編集情報に従い、図２０において、例えばＤＶＤなどの録画タイトルを取外し可能映像／音声記録メディア２ｍにムーブすることが可能になり、本体を操作せず、外部でも編集可能になり、ユーザの使い勝手が増す。
【０１６６】
また、本実施の形態によれば、外部で録画タイトルを視聴、編集しても本体の操作を行うのと同等の結果を得ることが可能となる。
【０１６７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【図面の簡単な説明】
【０１６８】
【図１】本発明の実施の形態１に係る映像記録システムの概要を説明するための説明図である。
【図２】本発明の実施の形態１に係る映像記録システムの据置型記録装置および可搬型記録装置の構成を示す構成図である。
【図３】本発明の実施の形態１に係る映像記録システムの録画タイトル情報のデータ項目一例を示す図である。
【図４】本発明の実施の形態１に係る映像記録システムの録画タイトルの複製を許可する機器の限定方法を説明するための説明図である。
【図５】本発明の実施の形態１に係る映像記録システムの録画タイトルの複製を説明するための説明図である。
【図６】本発明の実施の形態１に係る映像記録システムのタイトル複製時の伝送を説明するための説明図である。
【図７】本発明の実施の形態１に係る映像記録システムのタイトル複製時の伝送を説明するための説明図である。
【図８】本発明の実施の形態１に係る映像記録システムの鍵の管理について説明するための説明図である。
【図９】本発明の実施の形態１に係る映像記録システムの動作を示すシーケンス図である。
【図１０】本発明の実施の形態１に係る映像記録システムの動作を示すシーケンス図ある。
【図１１】（ａ）〜（ｃ）は本発明の実施の形態１に係る映像記録システムの動作時の鍵の状態を説明するための説明図である。
【図１２】（ａ）〜（ｃ）は本発明の実施の形態１に係る映像記録システムの動作時の鍵の状態を説明するための説明図である。
【図１３】（ａ）〜（ｃ）は本発明の実施の形態１に係る映像記録システムの動作時の鍵の状態を説明するための説明図である。
【図１４】本発明の実施の形態２に係る映像記録システムの据置型記録装置および可搬型記録装置の構成を示す構成図である。
【図１５】本発明の実施の形態２に係る映像記録システムの録画タイトルの複製時のコード変換を説明するための説明図である。
【図１６】本発明の実施の形態３に係る映像記録システムの据置型記録装置および可搬型記録装置の構成を示す構成図である。
【図１７】本発明の実施の形態３に係る映像記録システムで使用する情報の一例を示す図である。
【図１８】本発明の実施の形態３に係る映像記録システムで使用する情報の一例を示す図である。
【図１９】本発明の実施の形態３に係る映像記録システムで使用する情報の一例を示す図である。
【図２０】本発明の実施の形態４に係る映像記録システムの据置型記録装置および可搬型記録装置の構成を示す構成図である。
【図２１】本発明の実施の形態４に係る映像記録システムで使用する情報の一例を示す図である。
【図２２】本発明の実施の形態４に係る映像記録システムで使用する情報の一例を示す図である。
【図２３】本発明の実施の形態４に係る映像記録システムの編集タイトルの扱いを説明するための説明図である。
【符号の説明】
【０１６９】
１１…アンテナ、１４…据置型記録装置録画タイトル、１５…可搬型記録装置録画タイトル、１６…放送信号、１７…デジタル伝送路、１８…屋外ネットワーク、１９…暗号鍵または再生権利、２１…据置型記録装置、２２…可搬型記録装置、２３…受信部、２４…制御部（据置型記録装置）、２５…映像／音声復号部（据置型記録装置）、２６…映像／音声記録部（据置型記録装置）、２７…伝送部（据置型記録装置）、２８…録画タイトル情報管理部（据置型記録装置）、２９…表示部（据置型記録装置）、２ａ…伝送部（可搬型記録装置）、２ｂ…映像／音声復号部（可搬型記録装置）、２ｃ…表示部（可搬型記録装置）、２ｄ…制御部（可搬型記録装置）、２ｅ…映像／音声記録部（可搬型記録装置）、２ｆ…録画タイトル情報管理部（可搬型記録装置）、２ｇ…コード変換部、２ｈ…映像データ経路ａ、２ｉ…映像データ経路ｂ、２ｊ…番組情報管理部（据置型記録装置）、２ｋ…番組情報管理部（可搬型記録装置）、２ｍ…取外し可能映像／音声記録メディア、５０…ルータ、９０…録画タイトル管理テーブル。
【図１】
2006311453.tif 000003
【図２】
2006311453.tif 000004
【図３】
2006311453.tif 000005
【図５】
2006311453.tif 000006
【図６】
2006311453.tif 000007
【図７】
2006311453.tif 000008
【図８】
2006311453.tif 000009
【図９】
2006311453.tif 000010
【図１０】
2006311453.tif 000011
【図１１】
2006311453.tif 000012
【図１２】
2006311453.tif 000013
【図１３】
2006311453.tif 000014
【図１４】
2006311453.tif 000015
【図１５】
2006311453.tif 000016
【図１６】
2006311453.tif 000017
【図１７】
2006311453.tif 000018
【図１８】
2006311453.tif 000019
【図１９】
2006311453.tif 000020
【図２０】
2006311453.tif 000021
【図２１】
2006311453.tif 000022
【図２２】
2006311453.tif 000023
【図４】
2006311453.tif 000024
【図２３】
2006311453.tif 000025